(57)【要約】【課題】コンディショニング効果に優れ、かつ充分な起泡力を有し、適度な粘性を有する洗浄剤組成物を提供することを目的とする。【解決手段】（Ａ）Ｎ−アシルサルコシントリエタノールアミン、（Ｂ）ポリオキシエチレンラウリルエーテル硫酸トリエタノールアミン、（Ｃ）ポリオキシプロピレン脂肪酸イソプロパノールアミド、（Ｄ）カチオン性ポリマー、（Ｅ）水溶性無機塩、（Ｆ）両性界面活性剤を含有する洗浄剤組成物によって達成する。【選択図】なし【特許請求の範囲】
【請求項１】
（Ａ）Ｎ−アシルサルコシントリエタノールアミン、（Ｂ）ポリオキシエチレンラウリルエーテル硫酸トリエタノールアミン、（Ｃ）ポリオキシプロピレン脂肪酸イソプロパノールアミド、（Ｄ）カチオン性ポリマー、（Ｅ）水溶性無機塩、および（Ｆ）両性界面活性剤を含有することを特徴とする洗浄剤組成物。
【発明の詳細な説明】
【技術分野】
【０００１】
本発明は、コンディショニング効果に優れ、かつ充分な起泡力を有し、適度な粘性を有する洗浄剤組成物に関する。
【背景技術】
【０００２】
洗浄剤には、洗浄力と泡立ちの良さが求められている。それと同時に、近年では消費者のケア意識が高まり、洗浄剤としての基本的な性能に加えて、洗浄中の使用感および洗浄後の仕上り感の良さ、コンディショニング効果が求められる傾向にある。
【０００３】
従来洗浄剤のコンディショニング剤として、カチオン化ポリマーや高分子シリコーン、タンパク質、アミノ酸等を配合することが行われている（例えば、特許文献１〜３参照。）。しかし洗浄中の使用感及び仕上り感の良さにおいて未だ満足のいくものではない。また、高起泡性の洗浄剤として、α−オレフィンスルホン酸塩、ラウリル硫酸ナトリウム、ポリオキシエチレンラウリルエーテル硫酸ナトリウム等のアニオン界面活性剤が使用されているが、これらの洗浄剤は、コンディショニング効果が弱いため好ましい洗浄中の使用感を得ることが出来なかった。低刺激性の洗浄剤として、アシルサルコシン塩、アシルメチル−β−アラニン塩、アシルグルタミン塩等のアミノ酸系界面活性剤が使用されているが（例えば、特許文献１，４参照）、これらの洗浄剤は、洗浄剤に高濃度配合すると粘性が出にくく、また一時的に粘性を出すことができても経時変化で低くなるため、好ましい使い勝手を得ることができなかった。
【０００４】
【特許文献１】特許第３０６４０３７号公報
【特許文献２】特開昭６３−４５２１３号公報
【特許文献３】特開２０００−３１９１４０号公報
【特許文献４】特許第３６４４５６６号公報
【発明の開示】
【発明が解決しようとする課題】
【０００５】
上記事情において、上記欠点を解消する技術が求められていた。即ち、本発明の目的とするところは、コンディショニング効果に優れ、かつ充分な起泡力を有し、適度な粘性を有する洗浄剤組成物を提供することにある。
【課題を解決するための手段】
【０００６】
本発明者は上記事情に鑑み、鋭意研究した結果、特定の界面活性剤とカチオン性ポリマーと無機塩を含有する洗浄剤組成物が上記目的を達成できることを見出し、本発明を完成したものである。即ち、本発明は、（Ａ）Ｎ−アシルサルコシントリエタノールアミン、（Ｂ）ポリオキシエチレンラウリルエーテル硫酸トリエタノールアミン、（Ｃ）ポリオキシプロピレン脂肪酸イソプロパノールアミド、（Ｄ）カチオン性ポリマー、（Ｅ）水溶性無機塩、（Ｆ）両性界面活性剤を含有する洗浄剤組成物である。
【発明の効果】
【０００７】
本発明により、コンディショニング効果に優れ、かつ充分な起泡力を有し、適度な粘性を有する浄剤組成物を提供できる。
【発明を実施するための最良の形態】
【０００８】
本発明に用いられる、（Ａ）Ｎ−アシルサルコシントリエタノールアミンとしては、例えばＮ−ラウロイルサルコシントリエタノールアミン、Ｎ−ミリストイルサルコシントリ
エタノールアミン等である。Ｎ−アシルサルコシントリエタノールアミンの配合量は、組成物全体に対して１．０％〜３０．０質量％（以下、単に％という。）が好ましく、さらに好ましくは５．０〜２０．０％である。これは、Ｎ−アシルサルコシントリエタノールアミンの配合量を増やすと、コンディショニング効果（例えば、洗浄中の使用感および洗浄後の仕上り感の良さ等）が高くなるが、粘性が低くなるため、充分なコンディショニング効果を得るには１．０％以上が好ましく、また、適度な粘性を保ち、充分な起泡性を得るには３０．０％以下が好ましいからである。
【０００９】
本発明に用いられる（Ｂ）ポリオキシエチレンラウリルエーテル硫酸トリエタノールアミンの配合量は、特に限定されることはないが組成物全体に対して０．１〜５．０％が好ましく、さらに好ましくは０．５〜３．０％である。これは、ポリオキシエチレンラウリルエーテル硫酸トリエタノールアミンの配合量を増やすと、粘性は高くなるが、コンディショニング効果の阻害傾向が出るため、適度な粘性を保つには０．１％以上が好ましく、また、充分なコンディショニング効果を得るには５．０％以下が好ましいからである。
【００１０】
本発明に用いられる（Ｃ）ポリオキシプロピレン脂肪酸イソプロパノールアミドとしては、例えば、ポリオキシプロピレンラウリン酸イソプロパノールアミド、ポリオキシプロピレンミリスチン酸イソプロパノールアミド、ポリオキシプロピレンステアリン酸イソプロパノールアミド、ポリオキシプロピレンヤシ油脂肪酸イソプロパノールアミド、ポリオキシプロピレンパーム核油脂肪酸イソプロパノールアミド等である。配合量は、特に限定されることはないが組成物全体に対して０．５〜１５．０％が好ましく、さらに好ましくは１．０〜５．０％である。これは、ポリオキシプロピレン脂肪酸イソプロパノールアミドの配合量を増やすと、粘度は高くなるが、粘性が高くなりすぎると起泡性を阻害する傾向が出るため、適度な粘性を保ち、充分な起泡性を得るには０．５％以上が好ましく、また、起泡性を阻害しないような粘度とするには１５．０％以下が好ましいからである。
【００１１】
本発明に用いられる（Ｄ）カチオン性ポリマーとしては、特に限定されるものではないが、例えばカチオン化セルロ−ス誘導体、カチオン性澱粉、カチオン化グァーガム誘導体、ジアリル４級アンモニウム塩重合物、ジアリル４級アンモニウム塩／アクリルアミド共重合物、４級ポリビニルピロリドン誘導体等が挙げられる。これらカチオン性ポリマーを適宜選択し、１種または２種以上を用いることができる。これらカチオン性ポリマーの配合量は特に限定されるものではないが、組成物全体に対して、０．１〜３．０％が好ましく、さらに好ましくは０．３〜１．５％である。これは、カチオン性ポリマーの配合量を増やすと、コンディショニング効果が高くなるが、増やしすぎると洗浄液中に析出する傾向が出るため、充分なコンディショニング効果を得るには０．１％以上が好ましく、また、洗浄剤中に析出せず可溶化するためには３．０％以下が好ましいからである。
【００１２】
本発明に用いられる（Ｅ）水溶性無機塩は、ナトリウムイオン、カリウムイオン、アンモニウムイオンからなる一価の陽イオンおよび／またはマグネシウムイオン、カルシウムイオンからなる二価の陽イオンと、塩素イオン、硫酸イオン、リン酸イオン、炭酸イオン、硝酸イオンからなる陰イオンから形成される塩の少なくとも１種である。好適例を示すと例えば塩化ナトリウム、炭酸ナトリウム、硫酸ナトリウム、硫酸水素ナトリウム、リン酸ナトリウム、リン酸水素ナトリウム、塩化カリウム、硫酸カリウム、硫酸水素カリウム、リン酸カリウム、リン酸水素カリウム、リン酸二水素カリウム、塩化マグネシウム、塩化カルシウム、硫酸アンモニウム、リン酸アンモニウム、硫酸マグネシウム等が挙げられるが、塩化ナトリウム、塩化マグネシウム、塩化カルシウム、硫酸マグネシウムがより好ましい。これら水溶性無機塩の配合量は特に限定されるものではないが、組成物全体に対して、０．１〜３．０％が好ましく、さらに好ましくは０．３〜１．５％である。これは、水溶性無機塩の配合量を増やすと、粘度が高くなるが、逆に増やしすぎると粘度が低くなるため、適度な粘度とするには０．１％〜３．０％が好ましいからである。
【００１３】
本発明に用いられる（Ｆ）両性界面活性剤としては、特に限定されるものではないが、例えばラウリルベダイン、ラウロイルアミドプロピルベダイン、２−アルキル−Ｎ−カルボキシメチル−Ｎ−ヒドロキシエチルイミダゾリニウムベダイン等が挙げられる。これら両性界面活性剤を適宜選択し、１種または２種以上を用いることができる。これら両性界面活性剤の配合量は特に限定されるものではないが、組成物全体に対して、１．０〜１０．０％が好ましく、さらに好ましくは３．０〜８．０％である。これは、両性界面活性剤の配合量を増やすと、コンディショニング効果が高くなり、粘度も高くなるが、粘度が高くなりすぎるとコンディショニング効果や起泡性の阻害傾向が出るため、充分なコンディショニング効果を得るには１．０％以上が好ましく、また、適度な粘性を保つためには１０．０％以下が好ましいからである。
【００１４】
本発明の洗浄剤組成物には、上述した成分の他にも、目的に応じて洗浄剤組成物に通常使用されている成分を本発明の達成する範囲内で、適宜配合することができる。これらの成分としては、例えば、ノニオン界面活性剤、カチオン界面活性剤、保湿剤、シリコーン誘導体、油分、植物抽出エキス、粘度調整剤、パール化剤、薬剤、防腐剤、キレート剤、酸化防止剤、ＰＨ調整剤、色素、香料等が挙げられる。
【００１５】
本発明の洗浄剤組成物は、特に対象、剤型にとらわれず、ヘアシャンプー、ボディーシャンプー、ハンドソープ、洗顔料等に使用することができる。これらは常法により、本発明の洗浄剤組成物を配合して製造することができる。
【実施例】
【００１６】
本発明を、実施例に基づき詳細に説明するが、本発明はこれにより限定されるものではない。実施例に先立ち、各実施例で採用した試験法、評価法を説明する。
【００１７】
・洗髪中の使用感試験法（コンディショニング効果）
１０名のパネルが各実施例の試料（以下、単に「試料」という）で洗髪し、洗髪中の指通り、髪のきしみの有無等の使用感について「良い」、「普通」、「悪い」の３段階で判定し、判定結果を「良い」と回答した人数により判断した。
【００１８】
判断基準は以下の通りである。
◎：大変優れている    「良い」と答えた試験対象者の数が８名以上
○：優れている        「良い」と答えた試験対象者の数が６名以上、８名未満
△：劣っている        「良い」と答えた試験対象者の数が４名以上、６名未満
×：大変劣っている    「良い」と答えた試験対象者の数が４名未満
【００１９】
・洗髪乾燥後の毛髪の仕上がり感試験法（コンディショニング効果）
１０名のパネルが試料で洗髪し、洗髪乾燥後の毛髪のしっとり感、柔軟性、しなやかさ等の仕上がりについて「良い」、「普通」、「悪い」の３段階で判定し、判定結果を「良い」と回答した人数により判断した。
【００２０】
判断基準は以下の通りである。
◎：大変優れている    「良い」と答えた試験対象者の数が８名以上
○：優れている        「良い」と答えた試験対象者の数が６名以上、８名未満
△：劣っている        「良い」と答えた試験対象者の数が４名以上、６名未満
×：大変劣っている    「良い」と答えた試験対象者の数が４名未満
【００２１】
・起泡性試験法
活性剤濃度が２％になるように各試料の水溶液（ＣａＣＯ３５０ｐｐｍ人工硬水使用、
４０℃）を調整し、ロスマイルス試験法に準じて行った。
【００２２】
判断基準は以下の通りである。
◎：泡立ち優秀    泡高さ２５０ｍｍ以上
○：泡立ち良好    泡高さ２１０ｍｍ以上  ２５０ｍｍ未満
△：泡立ち普通    泡高さ１７０ｍｍ以上  ２１０ｍｍ未満
×：泡立ち不良    泡高さ１７０ｍｍ未満
【００２３】
・粘度測定法
測定装置、ブルックフィールド型粘度計（３号、１２回転、３０秒）にて、測定温度２０℃で測定した。
【００２４】
判断基準は以下の通りである。
◎：最適な粘度        ２０００〜６０００ｍＰａ・ｓ
○：適度な粘度        １０００〜２０００ｍＰａ・ｓ
△：粘度が高すぎる    ６０００ｍＰａ・ｓ以上
×：粘度が低すぎる    １０００ｍＰａ・ｓ  未満
【００２５】
実施例１〜４及び比較例１〜９（ヘアシャンプー）
表１に記載の配合組成によるシャンプーを常法により調整し、その洗髪中の使用感、洗髪乾燥後の仕上がり感、起泡性、粘性について調べ、その結果を表１に示した。
【００２６】
【表１】
2008007649.tif 000002
【００２７】
表１から明らかなように、本発明による洗浄剤組成物は比較例の組成物に比べて、優れた性能を見出した。
【００２８】
実施例５  シャンプー
Ｎ−ラウロイルサルコシントリエタノールアミン                      １２．０
ポリオキシエチレンラウリルエーテル硫酸トリエタノールアミン          ４．０
ポリオキシプロピレンヤシ油脂肪酸モノエタノールアミド                ３．５
ヤシ油脂肪酸モノエタノールアミド                                    １．０
ヤシ油脂肪酸アミドプロピルベダイン                                  ６．０
カチオン化セルロース誘導体                                          ０．３
（商品名：カチナールＨＣ−２００［東邦化学工業社製］）
塩化Ｏ−［２−ヒドロキシ−３−（トリメチルアンモニオ）
プロピル］グアーガム                                          ０．１
ポリオキシプロピレンヤシ油脂肪酸イソプロパノールアミド              ３．０
ジステアリン酸エチレングリコール                                    ２．０
ムクロジエキス
（商品名：ムクロジ抽出液〔丸善製薬社製〕）                      ０．５
ヒオウギエキス
（商品名：ヒオウギ抽出液〔一丸ファルコス社製〕）                ０．１
ツバキエキス
（商品名：ツバキ種子抽出物〔丸善製薬社製〕）                    ０．１
クエン酸                                                            ０．３
安息香酸ナトリウム                                                  ０．５
ＥＤＴＡ                                                            ０．１
塩化ナトリウム                                                      ０．５
カラメル                                                            ０．２
香料                                                                ０．５
精製水                                                            バランス
【００２９】
常法により上記組成のシャンプーを調整し、洗髪中の使用感、洗髪乾燥後の仕上がり感、起泡性、粘度を評価したところ、いずれの特性も優れており良好な結果を得た。
【００３０】
実施例６  ボディシャンプー
ラウリン酸カリウム                                                ５．０
ミリスチン酸カリウム                                              ４．０
パルミチン酸カリウム                                              ４．０
Ｎ−ミリスチルサルコシントリエタノールアミン                      ５．０
ポリオキシエチレンラウリルエーテル硫酸トリエタノールアミン        １．０
ポリオキシプロピレンヤシ油脂肪酸モノエタノールアミド              ４．０
塩化Ｏ−［２−ヒドロキシ−３−（トリメチルアンモニオ）
プロピル］グアーガム                                        ０．３
２−アルキル−Ｎ−カルボキシメチル−Ｎ−ヒドロキシ
エチルイミダゾリニウムベダイン                                ２．０
ヤシ油脂肪酸アミドプロピルベダイン                                ２．０
ジステアリン酸エチレングリコール                                  ２．０
ヒドロキシプロピルメチルセルロース                                ０．３
濃グリセリン                                                      １．０
プロピレングリコール                                              ５．０
ヤシ油脂肪酸モノエタノールアミド                                  １．０
モモ葉エキス                                                      １．０
ＥＤＴＡ                                                          ０．１
香料                                                              ０．５
精製水                                                            バランス
【００３１】
常法により上記組成のボディシャンプーを調整し、使用感、起泡性を評価したところ、いずれの特性も優れており良好な結果を得た。
【産業上の利用可能性】
【００３２】
本発明により、コンディショニング効果に優れ、かつ充分な起泡力を有し、適度な粘性を有する洗浄剤組成物を提供できる。